(57)【特許請求の範囲】
【請求項１】
軸箱と、軸箱内に組合せアンギュラ玉軸受を介して支持され一端部に回転駆動部が形成された回転体と、回転体の他端面に固定されるＸ線発生装置装着部材とを有するＣＴスキャナの回転体支持用軸受において、上記組合せアンギュラ玉軸受の両内輪が一体部材とされ、上記両内輪は、回転体の外周部に設けられて回転体とＸ線発生装置装着部材とにより支持固定され、上記組合せアンギュラ玉軸受の両外輪は軸箱の内周部に固定されていることを特徴とするＣＴスキャナの回転体支持用軸受。
【発明の詳細な説明】
【０００１】
【発明の属する技術分野】
この発明は、ＣＴスキャナのプーリ軸である回転体を支持する組合せアンギュラ玉軸受の改良に関する。
【０００２】
【従来の技術】
一般に、ＣＴスキャナにおいては、図１に示されるように軸方向に揺動可能に軸箱１が外枠８に支持され、この軸箱１内にプーリ軸２が組合せアンギュラ玉軸受３０，４０を介して支持されている。上記プーリ軸２の一端部２ａにはタイミングベルト１５が掛けられるプーリ５が形成され、プーリ軸２の回転駆動部とされている。また、プーリ軸２の他端部２ｂには、Ｘ線発生装置１６および受像部１７が装着される端面６ａが形成されたＸ線発生装置装着部材６がボルト７にて固定されている。
【０００３】
従来、上記組合せアンギュラ玉軸受３０，４０は、図４に示されるように、軸箱１の内周に端部１ａまで連続して形成された周段部９と、プーリ軸２の外周の他端部２ｂまで連続して形成された周段部１０間に嵌合されている。さらに、軸箱１の端面１ａには、軸受３０の外輪３０ａ端面を支持する軸方向突部１２が形成された輪状蓋１１がボルト２２で固定されている。また、上記Ｘ線発生装置装着部材６のプーリ軸２側の端面６ｂには軸受３０の内輪３０ｂを支持する軸方向突部１３が形成されている。これにより、上記組合せアンギュラ玉軸受３０，４０は、両外輪３０ａ，４０ａが軸箱１の周段部９の肩部９ａと輪状蓋１１の軸方向突部１２にて支持され、両内輪３０ｂ，４０ｂがプーリ軸２の周段部１０の肩部１０ａとＸ線発生装置装着部材６の軸方向突部１３にて支持されている。
【０００４】
【発明が解決しようとする課題】
上記Ｘ線発生装置装着部材６がプーリ軸２にボルト７で固定される際、軸受３０，４０を軸方向に確実に締め付け固定するために、図５に示すように軸受３０，４０の内輪３０ｂ，４０ｂの組幅寸法Ａに対して、プーリ軸２の軸受取付部の幅寸法Ｂを僅かに小さく設定する必要があるが、個々の部品を別々に加工して組み合わせるため、どうしても０.１〜０.５mmの軸方向のばらつきが生じてしまい、Ｘ線発生装置装着部材６とプーリ軸２間がすきま０mmにならない。この理由にて、この両部材６，２間にシム１４が介装されて隙間０.１mm以下に調整されるのであるが、ボルト７が締め込まれると上記隙間はほぼ零となるため、Ｘ線発生装置装着部材６に倒れが発生しやすい。ところが、上記組合せアンギュラ玉軸受３０，４０は、軸受一個の断面寸法が、軸方向幅が２５.４mmで直径寸法が７００〜１１００mmのものが多く、内、外輪３０ｂ，４０ｂ，３０ａ，４０ａが超薄肉リング形状であり、個々の軸受３０，４０自体の剛性が小さい。
その結果、上記組合せアンギュラ玉軸受の個々の軸受３０，４０に上記Ｘ線発生装置装着部材６の倒れの影響が作用し、個々の軸受３０，４０の内輪３０ｂ，４０ｂに変形が生じ、プーリ軸２の回転すなわち軸受の回転中に異常音が発生することがある。
【０００５】
そこで、この発明は、ＣＴスキャナの回転体支持用軸受である組合せアンギュラ玉軸受の回転側軌道輪の剛性を向上させることを目的とする。
【０００６】
【課題を解決するための手段】
上記課題を解決するための手段として、軸箱と、軸箱内に組合せアンギュラ玉軸受を介して支持され一端部に回転駆動部が形成された回転体と、回転体の他端面に固定されるＸ線発生装置装着部材とを有するＣＴスキャナの回転体支持用軸受において、上記組合せアンギュラ玉軸受の両内輪が一体部材とされ、上記両内輪は、回転体の外周部に設けられて回転体とＸ線発生装置装着部材とにより支持固定され、上記組合せアンギュラ玉軸受の両外輪は軸箱の内周部に固定されていることを特徴とする。
【０００７】
【発明の実施の形態】
以下、この発明の具体的な実施の形態について図２を参照しながら説明する。軸箱１内にプーリ軸２が後述する構成の組合せアンギュラ玉軸受３，４を介して支持されている。上記プーリ軸２の一端部２ａにはタイミングベルト１５が掛けられるプーリ５が形成され、プーリ軸２の回転駆動部とされている。また、プーリ軸２の他端部２ｂには、Ｘ線発生装置１６および受像部１７が装着される端面６ａが形成されたＸ線発生装置装着部材６がボルト７にて固定されている。
【０００８】
上記組合せアンギュラ玉軸受３，４は、軸箱１の内周に端部１ａまで連続して形成された周段部９と、プーリ軸２の外周の他端部２ｂまで連続して形成された周段部１０間に嵌合されている。さらに、軸箱１の端面１ａには、軸受３の外輪３ａ端面を支持する軸方向突部１２が形成された輪状蓋１１がボルト２２で固定されている。また、上記Ｘ線発生装置装着部材６のプーリ軸２側の端面６ｂには軸受３の内輪３ｂを支持する軸方向突部１３が形成されている。これにより、上記組合せアンギュラ玉軸受３，４は、両外輪３ａ，４ａが軸箱１の周段部９の肩部９ａと輪状蓋１１の軸方向突部１２にて支持され、両内輪３ｂ，４ｂがプーリ軸２の周段部１０の肩部１０ａとＸ線発生装置装着部材６の軸方向突部１３にて支持されている。
【０００９】
さらに、上記組合せアンギュラ玉軸受である両軸受３，４の内輪３ｂ，４ｂは一体部材１８にて形成され、外輪３ａ，４ａは別体とされている。上記一体内輪１８の外周面には２列の軌道Ｔ１，Ｔ２が形成され、この内輪１８の両軌道Ｔ１，Ｔ２と両外輪３ａ，４ａの内周面の軌道Ｔ３，Ｔ４間に保持器１９で保持された玉２０が介装されている。この両軸受３，４の内輪一体構造により、両軸受３，４の剛性が向上させられる。
【００１０】
図３は、本発明の別の実施形態である。上記組合せアンギュラ玉軸受である両軸受３，４の外輪３ａ，４ａが一体部材２１にて形成され、内輪３ｂ，４ｂは別体とされている。上記一体外輪２１の内周面には２列の軌道Ｔ３，Ｔ４が形成され、この外輪２１の両軌道Ｔ３，Ｔ４と両内輪３ｂ，４ｂの外周面の軌道Ｔ１，Ｔ２間に保持器１９で保持された玉２０が介装されている。この両軸受３，４の外輪一体構造により、両軸受の剛性が向上させられる。
【００１１】
上記図２及び図３の実施形態においては、軸受剛性の向上により一体化した回転輪の変形が防止され、軸受回転中の異常音が防止されるが、さらには、軸受取り扱い時の異物侵入が軽減されるとともに、部品点数削減によるコスト低減が可能となる。
【００１２】
【発明の効果】
本発明では、ＣＴスキャナの回転体支持用軸受である組合せアンギュラ玉軸受の両内輪を一体部材で形成したため、軸受の剛性が向上し、Ｘ線発生装置装着部材の倒れが生じても一体化した回転輪が変形しにくゝ、軸受回転中の異常音を防止できる。
【図面の簡単な説明】
【図１】（Ａ）は一般のＣＴスキャナの回転体の正面図、（Ｂ）は（Ａ）のＡ−Ａ断面図である。
【図２】本発明のＣＴスキャナの回転体支持用軸受の組込み断面図である。
【図３】本発明の別の実施形態であるＣＴスキャナの回転体支持用軸受の断面図である。
【図４】従来のＣＴスキャナの回転体支持用軸受の組込み断面図である。
【図５】図４の軸受の内輪組幅寸法とプーリ軸の軸受取付部の幅寸法との関係説明図である。
【符号の説明】
１    軸箱
２    プーリ軸
３    アンギュラ玉軸受
４    アンギュア玉軸受
５    プーリ
６    Ｘ線発生装置装着部材
１８    一体内輪
２１    一体外輪
【図１】
0003905297.tif 000002
【図２】
0003905297.tif 000003
【図３】
0003905297.tif 000004
【図４】
0003905297.tif 000005
【図５】
0003905297.tif 000006